(57)【要約】【課題】  音声波形をそのパターンを限定することなく、極力少ない情報量で尚且つ劣化が少なくなるように送受信並びに記憶して再生することができ、これによって通信コストの削減を図ること。【解決手段】  通信端末機１３から送信されてきた音声データをサーバ１６で受信し、サーバ１６の特徴量抽出部２０にて、その受信された音声データから音声の音素を特定するための情報である特徴量と、当該音声の音源となる周波数の値である音源周波数値とを抽出する。この抽出された特徴量及び音源周波数値を、データ記憶部２２に記憶する。この記憶された特徴量及び音源周波数値を、音声復元部２４で読み出して、特徴量及び音源周波数値に対応する周波数成分を合成することによって元の音声データに復元し、この復元された音声データを、サーバ１６から通信端末機１４へ送信する。【選択図】      図１
2005134487.tif 000002
【特許請求の範囲】
【請求項１】
通信端末機から送信される音声波形をデータ化した音声データを、サーバ装置で受信して記憶し、この記憶された音声データを通信端末機で受信して元の音声波形に復元する音声通信システムにおいて、
前記サーバ装置に、
前記通信端末機から受信された音声データから、音声の音素を特定するための情報である特徴量と、当該音声の音源となる周波数の値である音源周波数値とを抽出する抽出手段と、
前記抽出手段で抽出された特徴量及び音源周波数値を記憶する記憶手段と、
前記記憶手段に記憶された特徴量及び音源周波数値に対応する周波数成分を合成して元の音声データに復元する復元手段と
を備えたことを特徴とする音声通信システム。
【請求項２】
音声波形がデータ化された音声データを受信して記憶し、この記憶された音声データを送信するサーバ装置において、
前記受信された音声データから、音声の音素を特定するための情報である特徴量と、当該音声の音源となる周波数の値である音源周波数値とを抽出する抽出手段と、
前記抽出手段で抽出された特徴量及び音源周波数値を記憶する記憶手段と、
前記記憶手段に記憶された特徴量及び音源周波数値に対応する周波数成分を合成して元の音声データを復元する復元手段と
を備えたことを特徴とするサーバ装置。
【請求項３】
入力された音声波形をデータ化した音声データから、音声の音素を特定するための情報である特徴量と、当該音声の音源となる周波数の値である音源周波数値とを抽出する抽出手段と、前記特徴量及び音源周波数値に対応する周波数成分を合成して元の音声データに復元する復元手段とを有する通信端末機と、
前記特徴量及び音源周波数値を記憶する記憶手段を有するサーバ装置とを備え、
通信端末機の前記抽出手段で抽出された特徴量及び音源周波数値をサーバ装置へ送信して前記記憶手段に記憶し、この記憶された特徴量及び音源周波数値を、他の通信端末機へ送信して当該通信端末機の前記復元手段で特徴量及び音源周波数値に対応する周波数成分を合成することによって元の音声データに復元する
を備えたことを特徴とする音声通信システム。
【請求項４】
入力された音声波形をデータ化した音声データから、音声の音素を特定するための情報である特徴量と、当該音声の音源となる周波数の値である音源周波数値とを抽出する抽出手段と、
前記特徴量及び音源周波数値を送受信する送受信手段と、
前記特徴量及び音源周波数値に対応する周波数成分を合成して元の音声データに復元する復元手段と
を備えたことを特徴とする通信端末機。
【請求項５】
通信端末機から送信される音声波形をデータ化した音声データを、サーバ装置で受信する第１のステップと、
前記第１のステップで受信された音声データから、音声の音素を特定するための情報である特徴量と、当該音声の音源となる周波数の値である音源周波数値とを抽出する第２のステップと、
前記第２のステップで抽出された特徴量及び音源周波数値を記憶する第３のステップと、
前記第３のステップで記憶された特徴量及び音源周波数値に対応する周波数成分を合成して元の音声データに復元する第４のステップと、
前記第４のステップで復元された音声データを他の通信端末機へ送信する第５のステップと
を含むことを特徴とする音声通信方法。
【請求項６】
通信端末機において、入力された音声波形をデータ化した音声データから、音声の音素を特定するための情報である特徴量と、当該音声の音源となる周波数の値である音源周波数値とを抽出する第１のステップと、
前記第１のステップで抽出された特徴量及び音源周波数値を、サーバ装置へ送信して記憶する第２のステップと、
前記第２のステップで記憶された特徴量及び音源周波数値を、他の通信端末機へ送信して当該通信端末機で特徴量及び音源周波数値に対応する周波数成分を合成することによって元の音声データに復元する第３のステップと
を含むことを特徴とする音声通信方法。
【発明の詳細な説明】
【技術分野】
【０００１】
本発明は、無線及び有線回線を利用した通信システムに適用され、無線又は有線回線を介して送受信される音声データを蓄積し、この蓄積された音声データを再生する音声通信システム、サーバ装置、通信端末機、音声通信方法に関する。
【背景技術】
【０００２】
従来、送受信される音声データを蓄積して再生する音声通信システムとして、例えば特許文献１及び２に記載のものがある。
特許文献１の内容は、送信する音声データ量を減少させることによってデータ送信時間を短縮し、もって、通信コストの削減と、再生するまでの時間を短縮することと、情報量の少ない属性データだけを入力として音声を合成することを目的としている。このために、音声の波形パターンである音声波形パターンを音声種別毎に予め記憶手段に格納し、音声波形パターンの種別を指定する発音データに基づいて、これに対応する音声波形パターンを記憶手段から取り出すと共に、音声波形パターンの１波形長さを指定する音階データに基づいて、取り出された音声波形パターンに、指定された波形長さを割り当てて出力するようになされている。
【０００３】
特許文献２の内容は、サーバから符号化されて送信された音声データを符号化したまま音声データ記録部に記憶することで、大量の音声データを保存することができ、使用者が好きなときに音声データを再生することを目的としている。このために、個人情報端末装置において、サーバから受信した応答メッセージである符号化された音声データを、一旦記憶手段に記憶しておき、必要なときに、予め他の記憶手段に記憶されたベクトル量子化によるコードブックを用いて、先に記憶された音声データを復号化して再生するようになされている。
【特許文献１】特開２０００−３３０５８４号公報
【特許文献２】特開平８−１１６３８５号公報
【発明の開示】
【発明が解決しようとする課題】
【０００４】
しかし、上記の特許文献１においては、予め記憶された所定パターンの音声波形を、発音データ及び音階データに基づいて取り出すようになっているので、扱える音声波形のパターンが限定されてしまうという問題がある。
特許文献２においても、ベクトル量子化による所定パターンのコードブックを用いて音声波形の符号化及び復号化を行うので、上記問題と同様、扱える音声波形のパターンが有限となる。また、コードブックを用いて符号化及び復号化を行うので、元の音声波形の情報量の減少並びに誤変換が多くなり、このため、再生された音声品質の劣化が大きくなるという問題がある。
本発明は、このような課題に鑑みてなされたものであり、音声波形をそのパターンを限定することなく、極力少ない情報量で尚且つ劣化が少なくなるように送受信並びに記憶して再生することができ、これによって通信コストの削減を図ることができる音声通信システム、サーバ装置、通信端末機、音声通信方法を提供することを目的としている。
【課題を解決するための手段】
【０００５】
上記目的を達成するために、本発明の請求項１による音声通信システムは、通信端末機から送信される音声波形をデータ化した音声データを、サーバ装置で受信して記憶し、この記憶された音声データを通信端末機で受信して元の音声波形に復元する音声通信システムにおいて、前記サーバ装置に、前記通信端末機から受信された音声データから、音声の音素を特定するための情報である特徴量と、当該音声の音源となる周波数の値である音源周波数値とを抽出する抽出手段と、前記抽出手段で抽出された特徴量及び音源周波数値を記憶する記憶手段と、前記記憶手段に記憶された特徴量及び音源周波数値に対応する周波数成分を合成して元の音声データに復元する復元手段とを備えたことを特徴としている。
【０００６】
この構成によれば、通信端末機から送信されてくる音声データをサーバ装置で受信し、この音声データから特徴量及び音源周波数値を抽出して記憶する。この記憶される特徴量及び音源周波数値からは元の音声データ、即ち音声波形を復元することができるので、従来のようにコードブック等の所定パターンを用いて符号化して復元する処理に比べ、良好な音声品質を得ることができる。また、所定パターンを用いて一旦置き換えを行わず、音声波形そのものである音声データから特徴量及び音源周波数値を抽出するので、従来のように扱える音声パターンが限定されるといったことが無くなる。更に、特徴量及び音源周波数値は、元の音声データの全てから比べると非常に情報量が少ないので、従来のように音声データそのものを記憶することに比較すると、より多くの音声情報を記憶することができる。
【０００７】
また、本発明の請求項２によるサーバ装置は、音声波形がデータ化された音声データを受信して記憶し、この記憶された音声データを送信するサーバ装置において、前記受信された音声データから、音声の音素を特定するための情報である特徴量と、当該音声の音源となる周波数の値である音源周波数値とを抽出する抽出手段と、前記抽出手段で抽出された特徴量及び音源周波数値を記憶する記憶手段と、前記記憶手段に記憶された特徴量及び音源周波数値に対応する周波数成分を合成して元の音声データを復元する復元手段とを備えたことを特徴としている。
【０００８】
この構成によれば、サーバ装置において、受信した音声データから特徴量及び音源周波数値を抽出して記憶し、この記憶された特徴量及び音源周波数値から元の音声データを復元するようにしたので、請求項１と同様に、良好な音声品質を得ることができ、また、扱える音声パターンが限定されるといったことが無くなり、更に、より多くの音声情報を記憶することができる。
【０００９】
また、本発明の請求項３による音声通信システムは、入力された音声波形をデータ化した音声データから、音声の音素を特定するための情報である特徴量と、当該音声の音源となる周波数の値である音源周波数値とを抽出する抽出手段と、前記特徴量及び音源周波数値に対応する周波数成分を合成して元の音声データに復元する復元手段とを有する通信端末機と、前記特徴量及び音源周波数値を記憶する記憶手段を有するサーバ装置とを備え、通信端末機の前記抽出手段で抽出された特徴量及び音源周波数値をサーバ装置へ送信して前記記憶手段に記憶し、この記憶された特徴量及び音源周波数値を、他の通信端末機へ送信して当該通信端末機の前記復元手段で特徴量及び音源周波数値に対応する周波数成分を合成することによって元の音声データに復元するを備えたことを特徴としている。
【００１０】
この構成によれば、通信端末機において音声データから特徴量及び音源周波数値を抽出し、これをサーバ装置へ送信して記憶し、この記憶された特徴量及び音源周波数値を他の通信端末機へ送信して元の音声データ、即ち音声波形を復元するようにした。これによって、従来のようにコードブック等の所定パターンを用いて一旦置き換えを行わず、音声波形そのものである音声データから特徴量及び音源周波数値を抽出するので、従来のように扱える音声パターンが限定されるといったことが無くなると共に、良好な音声品質を得ることができる。更に、特徴量及び音源周波数値は、元の音声データの全てから比べると非常に情報量が少ないので、従来のように音声データそのものを伝送することに比べ、伝送効率を向上させることができる。また、従来のように音声データそのものを記憶することに比べ、より多くの音声情報を記憶することができる。
【００１１】
また、本発明の請求項４による通信端末機は、入力された音声波形をデータ化した音声データから、音声の音素を特定するための情報である特徴量と、当該音声の音源となる周波数の値である音源周波数値とを抽出する抽出手段と、前記特徴量及び音源周波数値を送受信する送受信手段と、前記特徴量及び音源周波数値に対応する周波数成分を合成して元の音声データに復元する復元手段とを備えたことを特徴としている。
【００１２】
この構成によれば、通信端末機において音声データから特徴量及び音源周波数値を抽出し、これをサーバ装置へ送信して記憶させ、この記憶された特徴量及び音源周波数値を、他の通信端末機で受信して元の音声データ、即ち音声波形を復元することができる。これによって、従来のようにコードブック等の所定パターンを用いて一旦置き換えを行わず、音声波形そのものである音声データから特徴量及び音源周波数値を抽出するので、従来のように扱える音声パターンが限定されるといったことが無くなると共に、良好な音声品質を得ることができる。更に、特徴量及び音源周波数値は、元の音声データの全てから比べると非常に情報量が少ないので、従来のように音声データそのものを伝送することに比べ、伝送効率を向上させることができる。
【００１３】
また、本発明の請求項５による音声通信方法は、通信端末機から送信される音声波形をデータ化した音声データを、サーバ装置で受信する第１のステップと、前記第１のステップで受信された音声データから、音声の音素を特定するための情報である特徴量と、当該音声の音源となる周波数の値である音源周波数値とを抽出する第２のステップと、前記第２のステップで抽出された特徴量及び音源周波数値を記憶する第３のステップと、前記第３のステップで記憶された特徴量及び音源周波数値に対応する周波数成分を合成して元の音声データに復元する第４のステップと、前記第４のステップで復元された音声データを他の通信端末機へ送信する第５のステップとを含むことを特徴としている。
【００１４】
この方法によれば、通信端末機から送信されてくる音声データをサーバ装置で受信し、この音声データから特徴量及び音源周波数値を抽出して記憶する。この記憶される特徴量及び音源周波数値からは元の音声データ、即ち音声波形を復元することができるので、従来のようにコードブック等の所定パターンを用いて符号化して復元する処理に比べ、良好な音声品質を得ることができる。また、所定パターンを用いて一旦置き換えを行わず、音声波形そのものである音声データから特徴量及び音源周波数値を抽出するので、従来のように扱える音声パターンが限定されるといったことが無くなる。更に、特徴量及び音源周波数値は、元の音声データの全てから比べると非常に情報量が少ないので、従来のように音声データそのものを記憶することに比較すると、より多くの音声情報を記憶することができる。
【００１５】
また、本発明の請求項６による音声通信方法は、通信端末機において、入力された音声波形をデータ化した音声データから、音声の音素を特定するための情報である特徴量と、当該音声の音源となる周波数の値である音源周波数値とを抽出する第１のステップと、前記第１のステップで抽出された特徴量及び音源周波数値を、サーバ装置へ送信して記憶する第２のステップと、前記第２のステップで記憶された特徴量及び音源周波数値を、他の通信端末機へ送信して当該通信端末機で特徴量及び音源周波数値に対応する周波数成分を合成することによって元の音声データに復元する第３のステップとを含むことを特徴としている。
【００１６】
この方法によれば、通信端末機において音声データから特徴量及び音源周波数値を抽出し、これをサーバ装置へ送信して記憶し、この記憶された特徴量及び音源周波数値を他の通信端末機へ送信して元の音声データ、即ち音声波形を復元するようにした。これによって、従来のようにコードブック等の所定パターンを用いて一旦置き換えを行わず、音声波形そのものである音声データから特徴量及び音源周波数値を抽出するので、従来のように扱える音声パターンが限定されるといったことが無くなると共に、良好な音声品質を得ることができる。更に、特徴量及び音源周波数値は、元の音声データの全てから比べると非常に情報量が少ないので、従来のように音声データそのものを伝送することに比べ、伝送効率を向上させることができる。また、従来のように音声データそのものを記憶することに比べ、より多くの音声情報を記憶することができる。
【発明の効果】
【００１７】
以上説明したように本発明によれば、音声波形をそのパターンを限定することなく、極力少ない情報量で尚且つ劣化が少なくなるように送受信並びに記憶して再生することができ、これによって通信コストの削減を図ることができるという効果がある。
【発明を実施するための最良の形態】
【００１８】
本発明の特徴は、音声波形から、その音素（母音、子音）を特定するための情報である特徴量のみを抽出する技術を用いることにより、圧縮、符号化する前の音声データの量を削減するようにしたことにある。
ここで、特徴量と、この特徴量を用いた音声への復元方法について説明する。
人間が発する音声は、その音源である声帯で生じた周波数と、その音源を言葉に変化させる声道（のど、口内の各器官、鼻等）の動きから生じる周波数に大別される。
【００１９】
特徴量とは、後者の周波数成分のことを示し、特徴量のみ分かっていれば音素を特定することができるため、音声認識に利用されることが多い。但し、特徴量のみでは音源となる前者の周波数成分がないため、音声に復元することはできない。このため、音源となる周波数成分を合成することで音声へ復元させる。
本発明では、音源となる周波数の値（以降、音源周波数値ともいう）に対応する周波数成分を、特徴量に合成することで音声へ復元させる。つまり、合成する音源周波数は、人により異なるため、特徴量を抽出する際に、同時に音源周波数の値をデータとして抽出し、音声を復元する際に、データとしての音源周波数値に対応する周波数成分を特徴量に合成することにより、音声入力者に近い音声を復元可能としている。
【００２０】
以下、本発明の実施の形態を、図面を参照して説明する。
（第１の実施の形態）
図１は、本発明の第１の実施の形態に係る音声通信システムの構成を示すブロック図である。
図１に示す音声通信システム１０は、通信ネットワーク１２に有線又は無線回線で接続された固定式電話機又は携帯電話機等の複数の通信端末機１３，１４と、通信ネットワーク１２に有線接続されたサーバ１６とを備え、サーバ１６が、本実施の形態の特徴要素である番号認識部１８と、特徴量抽出部２０と、データ記憶部２２と、音声復元部２４とを備えて構成されている。
【００２１】
これらの構成要素の説明を行う。
番号認識部１８は、一方の通信端末機１３からの留守番メッセージ登録要求信号を受信した際に、この受信信号から録音先の電話番号を抽出し、この電話番号に対応したデータ記憶部２２における音声データ格納先アドレスを特徴量抽出部２０へ通知すると共に、留守番メッセージ登録要求元の通信端末機１３に音声による留守番メッセージを要求する。
【００２２】
また、番号認識部１８は、他方の通信端末機１４が当該端末機１４宛のメッセージを再生するために送信した留守番メッセージ確認要求信号を受信した際に、この受信信号からメッセージ再生のための電話番号を抽出し、この抽出電話番号を再生データ格納先アドレスとしてデータ記憶部２２に指定する。
特徴量抽出部２０は、番号認識部１８からの留守番メッセージ要求に応じて通信端末機１３から送信されてきた音声圧縮による音声データ（留守番メッセージ）を伸張し、この伸張した音声データから特徴量及び音源周波数値を抽出して圧縮し、これらの特徴量及び音源周波数値を、先に番号認識部１８から通知されたデータ記憶部２２のアドレスの記憶領域へ出力する。
【００２３】
データ記憶部２２は、特徴量抽出部２０からの特徴量及び音源周波数値を、指定アドレスの記憶領域に記憶して格納する。また、番号認識部１８によって指定されたアドレスの記憶領域に記憶された特徴量及び音源周波数値を読み出して音声復元部２４へ出力する。
音声復元部２４は、データ記憶部２２から読み出された特徴量及び音源周波数値を伸張し、この伸張された音源周波数値から所定の周波数を特徴量と合成することによって、音声データを復元したのち圧縮し、この圧縮された音声データを、留守番メッセージ確認要求を行った通信端末機４１へ送信する。この送信された音声データは、通信端末機１４によって伸張され、音声として再生されることになる。
【００２４】
次に、このような構成の音声通信システム１０において、一方の通信端末機１３から音声データを送信してサーバ１６に登録し、この登録された音声データを、他方の通信端末機１４で受信して再生する音声通信処理を、図２に示すシーケンス図を参照して説明する。但し、各通信端末機１３，１４は携帯電話機であるとする。
最初に、一方の通信端末機１３から他方の通信端末機１４に発呼されたが、圏外や電源オフなどの理由によって呼接続されなかったとする。
【００２５】
この場合、まず、ステップＳ１において、発呼側の通信端末機１３から留守番メッセージ登録要求信号が通信ネットワーク１２を介してサーバ１６へ送信される。この送信された留守番メッセージ登録要求信号は、サーバ１６で受信された後、ステップＳ２において、サーバ１６の番号認識部１８で、その受信信号から録音先の電話番号が抽出される。この抽出された電話番号に対応したデータ記憶部２２における音声データ格納先アドレスが、ステップＳ３において、特徴量抽出部２０へ通知される。
【００２６】
更に、ステップＳ４において、番号認識部１８で、留守番メッセージ登録要求元の通信端末機１３へ音声による留守番メッセージの要求が行われる。
この要求を受けた通信端末機１３では、ステップＳ５において、利用者の音声によって入力された留守番メッセージを表す音声データが圧縮され、ステップＳ６において、特徴量抽出部２０へ出力される。
【００２７】
この出力された音声データは、ステップＳ７において、特徴量抽出部２０で伸張され、更に、ステップＳ８において、その伸張された音声データから特徴量及び音源周波数値が抽出されて圧縮される。これらの特徴量及び音源周波数値は、ステップＳ９において、先に通知されたデータ記憶部２２のアドレスの記憶領域へ出力される。この特徴量及び音源周波数値は、ステップＳ１０において、データ記憶部２２における特徴量抽出部２０によって指定されたアドレスの記憶領域に記憶されて格納される。
【００２８】
一方、留守番メッセージの配信先である通信端末機１４で、留守番メッセージの確認の操作が行われたとする。
この場合、ステップＳ１１において、通信端末機１４から留守番メッセージ確認要求信号が通信ネットワーク１２を介してサーバ１６へ送信される。この送信された留守番メッセージ確認要求信号は、サーバ１６で受信された後、ステップＳ１２において、サーバ１６の番号認識部１８で、その受信信号からメッセージ再生のための電話番号が抽出される。そして、ステップＳ１３において、その抽出電話番号が再生データ格納先アドレスとして、データ記憶部２２に指定される。
【００２９】
この指定により、ステップＳ１４において、データ記憶部２２で指定アドレスの記憶領域に記憶された特徴量及び音源周波数値が読み出され、ステップＳ１５において、音声復元部２４へ出力される。
音声復元部２４では、ステップＳ１６において、データ記憶部２２から読み出された特徴量及び音源周波数値が伸張され、ステップＳ１７において、その伸張された音源周波数値から所定の周波数が特徴量と合成されることによって、ステップＳ１８で音声データが復元され、この後、ステップＳ１９において圧縮される。
【００３０】
この圧縮された音声データは、ステップＳ２０において、留守番メッセージ確認要求を行った通信端末機４１へ送信され、ステップＳ２１において、通信端末機１４で、その音声データが伸張され、音声として再生される。
このように、第１の実施の形態の音声通信システム１０によれば、図３のフローチャートに示すように、ステップＦ１において、通信端末機１３から送信されてきた音声データをサーバ１６で受信し、ステップＦ２において、サーバ１６の特徴量抽出部２０にて、その受信された音声データから音声の音素を特定するための情報である特徴量と、当該音声の音源となる周波数の値である音源周波数値とを抽出する。
【００３１】
この抽出された特徴量及び音源周波数値を、ステップＦ３において、データ記憶部２２に記憶する。この記憶された特徴量及び音源周波数値を、ステップＦ４において、音声復元部２４で読み出して、特徴量及び音源周波数値に対応する周波数成分を合成することによって元の音声データに復元し、この復元された音声データを、ステップＦ５において、サーバ１６から通信端末機１４へ送信するようにした。
【００３２】
このようにデータ記憶部２２に記憶された特徴量及び音源周波数値からは、音声復元部２４で、元の音声データ、即ち音声波形を復元することができるので、従来のようにコードブック等の所定パターンを用いて符号化して復元する処理に比べ、良好な音声品質を得ることができる。
また、特徴量抽出部２０によって、所定パターンを用いて一旦置き換えを行わず、音声波形そのものである音声データから特徴量及び音源周波数値を抽出するので、従来のように扱える音声パターンが限定されるといったことが無くなる。
【００３３】
更に、特徴量及び音源周波数値は、元の音声データの全てから比べると非常に情報量が少ないので、従来のように音声データそのものを記憶することに比較すると、より多くの音声情報を記憶することができる。
従って、音声波形をそのパターンを限定することなく、極力少ない情報量で尚且つ劣化が少なくなるように記憶して再生することができる。また、これによって通信設備等の通信コストの削減を図ることができる。
【００３４】
（第２の実施の形態）
図４は、本発明の第２の実施の形態に係る音声通信システムの構成を示すブロック図である。
図４に示す音声通信システム３０は、通信ネットワーク１２に有線又は無線回線で接続された固定式電話機又は携帯電話機等の複数の通信端末機３４ａ，３４ｂと、通信ネットワーク１２に有線接続されたサーバ３６とを備え、各通信端末機３４ａ，３４ｂが、音声インタフェース部４０ａ，４０ｂの他に、本実施の形態の特徴要素である特徴量抽出部２０ａ，２０ｂと、音声復元部２４ａ，２４ｂとを備え、サーバ３６が、本実施の形態の特徴要素である番号認識部１８ｃと、データ記憶部２２ｃとを備えて構成されている。
【００３５】
これらの構成要素の説明を行う。
番号認識部１８ｃは、一方の通信端末機３４ａからの留守番メッセージ登録要求信号を受信した際に、この受信信号から録音先の電話番号を抽出し、この電話番号に対応したデータ記憶部２２における音声データ格納先アドレスとすると共に、留守番メッセージ登録要求元の通信端末機３４ａに音声による留守番メッセージを要求する。
【００３６】
また、番号認識部１８ｃは、留守番メッセージ要求に応じて後述で説明するように通信端末機３４ａにおいて得られた特徴量及び音源周波数値がサーバ３６で受信された際に、その特徴量及び音源周波数値を、先に抽出したデータ記憶部２２ｃのアドレスの記憶領域へ出力する。
更に、番号認識部１８ｃは、他方の通信端末機１４が当該端末機１４宛のメッセージを再生するために送信した留守番メッセージ確認要求信号を受信した際に、この受信信号からメッセージ再生のための電話番号を抽出し、この抽出電話番号を再生データ格納先アドレスとしてデータ記憶部２２に指定する。
【００３７】
データ記憶部２２ｃは、後述で説明する通信端末機３４ａ，３４ｂの特徴量抽出部２０ａ，２０ｂからの特徴量及び音源周波数値を、番号認識部１８ｃによる指定アドレスの記憶領域に記憶して格納する。また、番号認識部１８によって指定されたアドレスの記憶領域に記憶された特徴量及び音源周波数値を読み出す。
音声インタフェース部４０ａ，４０ｂは、音声の入出力、及びその入力された音声をデータ化した音声データの送受信を行う。
【００３８】
特徴量抽出部２０ａ，２０ｂは、サーバ３６の番号認識部１８ｃからの留守番メッセージ要求に応じて、通信端末機３４ａ，３４ｂにおいて入力された音声をデータ化した音声データ（留守番メッセージ）から特徴量及び音源周波数値を抽出して圧縮し、この特徴量及び音源周波数値をサーバ３６へ送信する。
音声復元部２４ａ，２４ｂは、データ記憶部２２ｃから読み出された特徴量及び音源周波数値を伸張し、この伸張された音源周波数値から所定の周波数を特徴量と合成することによって、音声データを復元する。この復元された音声データは、音声インタフェース部４０ａ，４０ｂによって音声として再生されることになる。
【００３９】
次に、このような構成の音声通信システム３０において、一方の通信端末機３４ａにおいて音声データから抽出された特徴量及び音源周波数値を送信してサーバ１６に登録し、この登録された特徴量及び音源周波数値を、他方の通信端末機３４ｂで受信して再生する音声通信処理を、図５に示すシーケンス図を参照して説明する。但し、各通信端末機３４ａ，３４ｂは携帯電話機であるとする。
【００４０】
最初に、一方の通信端末機３４ａから他方の通信端末機３４ｂに発呼されたが、圏外や電源オフなどの理由によって呼接続されなかったとする。
この場合、まず、ステップＳ３１において、発呼側の通信端末機３４ａから留守番メッセージ登録要求信号が通信ネットワーク１２を介してサーバ３６へ送信される。この送信された留守番メッセージ登録要求信号は、サーバ３６で受信された後、ステップＳ３２において、サーバ３６の番号認識部１８ｃで、その受信信号から録音先の電話番号が抽出され、この抽出された電話番号が、データ記憶部２２における音声データ格納先アドレスとされる。
【００４１】
更に、ステップＳ３３において、番号認識部１８ｃで、留守番メッセージ登録要求元の通信端末機３４ａの音声インタフェース部４０ａへ音声による留守番メッセージの要求が行われる。
この要求を受けた通信端末機３４ａの音声インタフェース部４０ａでは、ステップＳ３４において、利用者の音声によって入力された留守番メッセージを表す音声データが特徴量抽出部２０ａへ出力される。
【００４２】
この音声データが入力された特徴量抽出部２０ａでは、ステップＳ３５において、当該音声データから特徴量及び音源周波数値が抽出され、更にステップＳ３６において圧縮される。これらの特徴量及び音源周波数値は、ステップＳ３７において、特徴量抽出部２０ａからサーバ３６へ送信され、番号認識部１８ｃに入力される。
そして、ステップＳ３８において、番号認識部１８ｃから、その特徴量及び音源周波数値が、ステップＳ３２で抽出したデータ記憶部２２ｃのアドレスの記憶領域へ出力され、ステップＳ３９において、その記憶領域に記憶されて格納される。
【００４３】
一方、留守番メッセージの配信先である通信端末機３４ｂで、留守番メッセージの確認の操作が行われたとする。
この場合、ステップＳ４０において、通信端末機３４ｂから留守番メッセージ確認要求信号が通信ネットワーク１２を介してサーバ３６へ送信される。この送信された留守番メッセージ確認要求信号は、サーバ１６で受信された後、ステップＳ４１において、番号認識部１８ｃで、その受信信号からメッセージ再生のための電話番号が抽出される。そして、ステップＳ４２において、その抽出電話番号が再生データ格納先アドレスとして、データ記憶部２２ｃに指定される。
【００４４】
この指定により、ステップＳ４３において、データ記憶部２２ｃで指定アドレスの記憶領域に記憶された特徴量及び音源周波数値が読み出され、ステップＳ４４において、サーバ３６から通信端末機３４ｂの音声復元部２４ｂへ出力される。
音声復元部２４ｂでは、ステップＳ４５において、特徴量及び音源周波数値が伸張され、ステップＳ４６において、その伸張された音源周波数値から所定の周波数が特徴量と合成されることによって、ステップＳ４７で音声データが復元される。
【００４５】
この音声データは、ステップＳ４８において、音声インタフェース部４０ｂへ送信され、ここで音声として再生される。
このように、第２の実施の形態の音声通信システム３０によれば、図６のフローチャートに示すように、ステップＦ１１にて、通信端末機３４ａの特徴量抽出部２０ａにおいて、音声インタフェース部４０ａで得られた音声波形をデータ化した音声データから、音声の音素を特定するための情報である特徴量と、当該音声の音源となる周波数の値である音源周波数値とを抽出する。
【００４６】
ステップＦ１２において、先に抽出された特徴量及び音源周波数値を、サーバ３６へ送信してデータ記憶部２２ｃで記憶する。ステップＦ１３において、データ記憶部２２ｃに記憶された特徴量及び音源周波数値を、他の通信端末機３４ｂへ送信して当該通信端末機３４ｂの音声復元部２４ｂで特徴量及び音源周波数値に対応する周波数成分を合成することによって元の音声データに復元するようにした。
このように、従来のようにコードブック等の所定パターンを用いて一旦置き換えを行わず、音声波形そのものである音声データから特徴量及び音源周波数値を抽出するので、従来のように扱える音声パターンが限定されるといったことが無くなると共に、良好な音声品質を得ることができる。
【００４７】
更に、特徴量及び音源周波数値は、元の音声データの全てから比べると非常に情報量が少ないので、従来のように音声データそのものを伝送することに比べ、伝送効率を向上させることができる。また、従来のように音声データそのものを記憶することに比べ、より多くの音声情報を記憶することができる。
従って、音声波形をそのパターンを限定することなく、極力少ない情報量で尚且つ劣化が少なくなるように送受信並びに記憶して再生することができる。また、これによって通信設備及び通信費等の通信コストの削減を図ることができる。
【図面の簡単な説明】
【００４８】
【図１】本発明の第１の実施の形態に係る音声通信システムの構成を示すブロック図である。
【図２】第１の実施の形態に係る音声通信システムにおける音声通処理の動作を説明するためのシーケンス図である。
【図３】第１の実施の形態に係る音声通信システムの特長処理の動作を説明するためのフローチャートである。
【図４】本発明の第２の実施の形態に係る音声通信システムの構成を示すブロック図である。
【図５】第２の実施の形態に係る音声通信システムにおける音声通処理の動作を説明するためのシーケンス図である。
【図６】第２の実施の形態に係る音声通信システムの特長処理の動作を説明するためのフローチャートである。
【符号の説明】
【００４９】
１０，３０  音声通信システム
１２  通信ネットワーク
１３，１４，３４ａ，３４ｂ  通信端末機
１６，３６  サーバ
１８，１８ｃ  番号認識部
２０，２０ａ，２０ｂ  特徴量抽出部
２２，２２ｃ  データ記憶部
２４，２４ａ，２４ｂ  音声復元部
４０ａ，４０ｂ  音声インタフェース部
【図１】
2005134487.tif 000003
【図２】
2005134487.tif 000004
【図３】
2005134487.tif 000005
【図４】
2005134487.tif 000006
【図５】
2005134487.tif 000007
【図６】
2005134487.tif 000008